(57)【要約】      （修正有）【課題】開け過ぎ防止用ドアストッパーと閉鎖防止用ドアストッパーが一体とした構成とし、開け過ぎ防止用ドアストッパーにドアが当接した状態又は近接した状態で、屈むことなく立ったままでも足だけのワンタッチでドアを固定保持状態とすることができ、また、ワンタッチでドアの固定保持状態を解除することができるドアストッパーを提供する。【解決手段】床面への設置手段を備えた扁平なベース部材３と、前記ベース部材の一端に形成された突出部２と、前記ベース部材に固定支持されたバネ材を用いた起伏板２６の開閉装置１０とを備え、前記突出部２と開放状態の前記起伏板２６の間でドアを挟むことを可能とするように構成される。【選択図】図２
0003180632.tif 000002
【実用新案登録請求の範囲】
【請求項１】
床面への設置手段を備えた扁平なベース部材と、
前記ベース部材の一端に形成された突出部と、
前記ベース部材に固定支持されたバネ材を用いた起伏板の開閉装置とを備え、
前記突出部と開放状態の前記起伏板の間でドアを挟むことを可能とするドアストッパー。
【請求項２】
前記ベース部材に前記開閉装置を収納可能な凹陥部を設け、前記凹陥部に前記開閉装置を収納した請求項1に記載のドアストッパー。
【請求項３】
前記バネ材が、帯形状であって長手方向に沿って２本の切り込みを設けてなる請求項１又は２に記載のドアストッパー。
【考案の詳細な説明】
【技術分野】
【０００１】
本考案は、ドアを開放操作した場合にドアやドアノブの壁面への衝突防止やドアを開放状態で固定保持することができるドアストッパーに関する。
【背景技術】
【０００２】
従来、開放操作したドアやドアノブが壁などにぶつかるのを防ぐために床面から立てた短い柱を設置し、更にドアを開放した位置に固定保持するために、ゴムなどの弾性体から一体成型された楔形状のものをドアの底面と床面の間に差し込んで使用されていた。また、床面から立てた短い柱を設置し、この柱に回動自在な掛け金を設けるとともにドアにねじ止めなどにより固定された受け金を設け、掛け金を受け金に係合させるものなども使用されていた。しかしながら、楔形状のものは摩擦力が不十分なため強く差し込まなければならず、多くの労力を要しドアが傷つくこともある。また、掛け金と受け金を利用するものは、受け金をドアに取り付けなければならず、ドアを傷付けることになり、また、デザインされたドアの美感も損なわれるという問題があった。
【０００３】
このような問題を解決すべく、特許文献１に記載されているように、開放したドアと床の間にドアの下側を横断して挿入される基部材の一端に、開放したドアが当接する開け過ぎ防止用ドアストッパーに取外可能に係合する係合部を設け、基部材の他端に、開放したドアの戻りを防止する閉鎖防止用ドアストッパーを設けたものが提案されている。また、特許文献２に記載されているように、開放したドアを戸当たりに連結して、ドアの開放状態を維持する開放具であって、前記ドアに当接するドア受部と、前記戸当たりに着脱自在に係合する係合部とを備えたドアの開放具であって、使用にするにはドアと床面の隙間に前記係合部を滑り込ませて前記戸当たりに係合させるものが提案されている。これらは、ドア自体に器具等を取り付けないので、ドアを傷付けたり、ドアの美感を損なうことのないものである。
【先行技術文献】
【特許文献】
【０００４】
【特許文献１】実公平７−５６４７０号公報
【特許文献２】特開平９−６０３８８号公報
【考案の概要】
【考案が解決しようとする課題】
【０００５】
しかしながら、特許文献１及び特許文献２に提案されているものは、開け過ぎ防止用ドアストッパー（戸当たり）に閉鎖防止用ドアストッパー（開放具）を係合させて、ドアの開放状態を固定保持するものである。これでは、開け過ぎ防止用ドアストッパーを保管しておいて、取り付けに際し屈んで取り付けるなど多大な労力を要する問題点がある。
【０００６】
本考案は上記のような問題点に鑑みてなされたもので、開け過ぎ防止用ドアストッパーと閉鎖防止用ドアストッパーを一体とした構成とし、閉鎖防止用ドアストッパーを別途保管しておく必要がなく、取り付けに際し開け過ぎ防止用ドアストッパーに係合させるなどの手間がかからず、開け過ぎ防止用ドアストッパーにドアが当接した状態又は近接した状態で、屈むことなく立ったままでも足だけのワンタッチでドアを固定保持状態とすることができ、また、ワンタッチでドアの固定保持状態を解除することができるドアストッパーを提供することを目的するものである。
【課題を解決するための手段】
【０００７】
上記目的を達成するために本考案の請求項１に係るドアストッパーは、床面への設置手段を備えた扁平なベース部材と、ベース部材の一端に形成された突出部と、ベース部材に固定支持されたバネ材を用いた起伏板の開閉装置とを備え、突出部と開放状態の起伏板の間でドアを挟むことを可能とするものを基本構成とする。そして、このようなドアストッパーにおいて、ベース部材に開閉装置を収納可能な凹陥部を設け、前記凹陥部に開閉装置を収納したものを請求項２の考案とし、更に請求項１又は請求項２に係るドアストッパーにおいて、バネ材が、帯形状であって長手方向に沿って２本の切り込みを設けてなる構成としているものを請求項３の考案としている。
【考案の効果】
【０００８】
本考案のドアストッパーは、開け過ぎ防止用ドアストッパーと閉鎖防止用ドアストッパーを一体とした構成として床面に設置されるため、閉鎖防止用ドアストッパーを別途保管しておく必要がなく、また取り付けに際し開け過ぎ防止用ドアストッパーに係合させるなどの手間がかからない。更に、バネ材を用いた起伏板の開閉装置を閉鎖防止用ドアストッパーとすることにより、屈むことなく立ったままでも足だけのワンタッチでドアを固定保持状態とすることができ、また、ワンタッチでドアの固定保持状態を解除することができる。
【図面の簡単な説明】
【０００９】
【図１】本考案の実施例１におけるドアストッパーをドアに設置した状態での斜視図である。
【図２】本考案の実施例１におけるドアストッパーにおいて、起伏板が閉じている状態の斜視図である。
【図３】本考案の実施例１におけるドアストッパーにおいて、起伏板が開放している状態の斜視図である。
【図４】本考案の実施例１におけるドアストッパーにおいて、起伏板の開閉装置を取り外した状態の斜視図である。
【図５】本考案の実施例２にかかるドアストッパーの起伏板が開放している状態の斜視図である。
【考案を実施するための形態】
【実施例１】
【００１０】
以下、本考案の実施例１を図面１から図面３に基づいて説明する。図１は、本考案の第１の実施の形態におけるドアストッパーをドアに設置した状態での斜視図、図２は、本考案の第１の実施の形態におけるドアストッパーにおいて、起伏板が閉じている状態の斜視図、図３は、本考案の実施例１におけるドアストッパーにおいて、起伏板が開放している状態の斜視図である。
【００１１】
これらの図において、ドアストッパー１は、扁平な舌片状であり、その舌先部の縁に沿って上方に向かい突出部２を形成している。前記突出部２は、側面５及び断面が略台形であって、舌先部の縁に沿って延伸している。前記突出部２の起伏板２６の開閉装置１０に対向する側面６は、ドアとの接触面である。
【００１２】
起伏板２６の開閉装置１０を収納可能な凹陥部に起伏板２６の開閉装置１０を収納し、起伏板２６の短辺が突出部２に対向するようになっている。また、起伏板２６の開閉装置１０は、起伏板２６の開閉により扁平なベース部材３と接触しないように周囲に溝１１、１２、１３ができるように緩く収納されている。起伏板２６が閉じた状態では、起伏板２６が扁平なベース部材３とほぼ同じ高さで凹凸を生じない又はごく僅かに低くしている。起伏板２６の開閉装置１０の周囲の扁平なベース部材３は面取りがされている。このことにより、扁平なベース部材３と起伏板２６との凹凸で躓き難くなっている。更に、ドアの厚さは３０ｍｍ前後のことが多いので、突出部２と起伏板２６は３０ｍｍに数ミリの遊びを持たせた間隔となっている。
【００１３】
ドアと床面の間隔は通常１０ｍｍ程度は確保されており、扁平なベース部材３の側面７はこれよりも薄く、ドアが上を通過できるようになっている。起伏板２６の開閉装置１０は、底面が凹陥部に固着されている。扁平なベース部材３と突出部２は、合成樹脂により一体形成されている。また、扁平なベース部材３は、合成樹脂と底面を薄い金属製の板材を重ねることにより形成することもできる。
【００１４】
起伏板２６の開閉装置１０について説明する。底板１５は一方向に開口した箱状に形成され、底板１５の辺端部には、側片１８，１９，２３が設けられている。また、起伏板２６も一方向に開口した箱状に形成され、起伏板２６の辺端部には、側片２７，２９，３４等が設けられている。底板１５と起伏板２６は緩やかに嵌めることができるように形成されている。
【００１５】
底板１５と起伏板２６は緩やかに嵌めた状態で、底板１５の側片１８，１９に軸支孔１７及び起伏板２６の側片２７，２９に支軸孔３１を支軸部材（図示なし）が貫通できるように設ける。そして、軸支孔１７に支軸部材を挿通することにより、起伏板２６を回転可能に支持する。また、起伏板２６の開放操作にあたり力点となる側の底板１５の側片には、勾配１６を設けるのがよい。起伏板２６の開放操作を行った場合に、起伏板２６の力点側が深く下がることにより、起伏板２６の作用点側を高く開放することができるからである。
【００１６】
底板１５と起伏板２６は、あおり止め２２によって連結されている。あおり止め２２は、金属製丸棒を凸形状に曲げて形成されており、その凸形状上部が底板１５の支持部材２１により遊動するように取付けられ、他方凸形状下部の２つの曲り部は、起伏板２６の起伏側に設けた掛合部２４，２５に軸着され、起伏板２６が動くように底板１５に連結されている。また、上記支持部材２１の先端部２０は、底板１５に当接せず、上記先端部２０と底板１５の間にバネ材３０の差込部２８が差し込まれるように形成されている。
【００１７】
起伏板２６には、短手方向の略中央に位置し、長手方向の略中央から支軸側にかけて、バネ材３０が配置されている。前記バネ材３０は、支軸側に設けられたネジ孔によって起伏板２６にリベット止め３３により固定され、起伏側にバネ部が伸び、先端には差込部２８が設けられている。
【００１８】
前記起伏板２６は、あおり止め２２の支持部材２１の遊動する範囲で動き、底板１５に支軸部材によって軸着された後は、バネ材３０によって上記支持部材２１の遊動する範囲で開閉するように形成されている。
【００１９】
ドアストッパー１の床面への設置手段としては、上記扁平なベース部材３の裏面（床面への接地部）に両面接着性テープが貼付されており、剥離紙を剥がして粘着面を露出させ床面へ設置することができる。また、上記扁平なベース部材３の裏面（床面への接地部）に自己粘着性のある合成樹脂が貼付されており、剥離紙を剥がして自己粘着性のある合成樹脂を露出させ床面へ設置することができる。自己粘着性のある合成樹脂としては、アクリル酸エステル共重合体、メチルメタルリレート−ブタジエン共重合体、シリコン系樹脂、ポリオレフィン系樹脂、ポリウレタン系の熱可塑性エストラマー等を用いることが出来る。更に、ベース部材３を貫通する孔を設けておいて、床面へねじ止めすることもできる。なお、ドアストッパー１の取り付け場所は、壁際の１０ｃｍから１５ｃｍのところにドアストッパー１の突出部２が位置するようにすることが好ましい。
【００２０】
ドアストッパー１は、起伏板２６が閉じている状態ではドアが扁平なベース部材３及び起伏板２６に接触することなく通過し、突出部２に衝突することによりドアが停止する。従って、起伏板２６が閉じている状態では、ドアストッパー１はドアやドアノブが壁に衝突することを回避できる開け過ぎ防止用ドアストッパー１となる。また、ドアが突出部２に当接又は近接した状態で起伏板２６を開放操作すると、起伏板２６と突出部２との間にドアが位置し、これらに挟まれることになるためドアを開放状態で固定保持することができるドアストッパー１となる。
【００２１】
起伏板２６の開閉は、起伏板２６の支持部材よりも側片３４に近いところを足で押すことにより、ワンタッチで起伏板２６が開放状態となる。また、起伏板２６が開放状態のときは、起伏板２６の起き上がっているところを足で押し下げることによりワンタッチで閉じた状態となり、ドアの固定保持状態を解除することができる。従って、非常に少ない労力でドアの開閉の固定保持状態とし、あるいは固定保持状態の解除を行うことができる。
【００２２】
また、ドアが閉じた状態で起伏板２６を開放状態としておいて、ドアの開放操作を行うと、ドアが起伏板２６を過ぎたところで自動的に固定保持状態となる。これは、ドアの開放操作を行い起伏板２６のところまでくるとドアが起伏板２６を押し下げるが、ドアが起伏板２６を越えるとバネ材３０により開放方向に付勢されているので再び元の開放状態となるためである。車椅子などで部屋の出入りをする場合には、起伏板２６を開放状態としておくと、ドアの開放操作を行うことだけで、足なども使う必要なく自動的にドアを固定保持状態とすることができる。
【実施例２】
【００２３】
以下、本考案の実施例２を図面４に基づいて説明する。
【００２４】
本考案のドアストッパー１は、床面に取付可能な長方形の扁平なベース部材３を備え、その一端には略直方体の突出部２が形成されている。また、前記ベース部材３の他端には、バネ材３０を用いた開閉装置１０を収納可能な凹陥部を設け、前記凹陥部に前記開閉装置１０を収納され、固定支持されている。起伏板２６が閉じた状態では、起伏板２６がベース部材とほぼ同じ高さで凹凸を生じない又はごく僅かに低くしている。実施例１との主な差異は、起伏板２６が開閉した状態でドアを固定保持する際に、ドアと当接するのが起伏板２６の長辺の側片２９であることである。このような構成とすることにより、コンパクトなドアストッパーとすることができ、人が躓き難くなるという効果がある。
【００２５】
凹陥部を設けた扁平なベース部材３と略直方体の突出部２は、合成樹脂で一体に形成することができる。また、扁平なベース部材８の底面に金属製の板を設置したベース部材３とすることもできる。なお、床面への設置方法やドアストッパー１の使用方法は実施例１と同様である。
【符号の説明】
【００２６】
１    ドアストッパー
２    突出部
３    扁平なベース部材
６    ドア受け部
１０  バネ材を用いた起伏板の開閉装置
１５  底板
２２  あおり止め
２６  起伏板
３０  バネ材
【図１】
0003180632.tif 000003
【図２】
0003180632.tif 000004
【図３】
0003180632.tif 000005
【図４】
0003180632.tif 000006
【図５】
0003180632.tif 000007